(57)【要約】【課題】可動演出手段の可動領域と遊技球の可動領域とを完全に区分して可動演出手段への遊技球の衝突等による不具合を完全に防止できる弾球遊技機を提供する。【解決手段】画像表示手段２２用の表示窓２５を有し且つ遊技盤５に形成された装着孔２０に着脱自在に装着される画像演出枠１３を備え、この画像演出枠１３には、表示窓２５の下側に左右方向に配置され且つ所定の入球口に入球した遊技球を転動させて前側に落下させるステージ３８と、表示窓２５の前側に配置され且つ駆動手段の駆動により左右方向に移動可能な可動演出手段３０と、可動演出手段３０の前側を覆う透明カバー３４とを備えた弾球遊技機で、透明カバー３４は、可動演出手段３０の前側に対応する部分の下部側が、その上部側よりも後方で且つステージ３８の後側に配置されているものである。【選択図】図５
2010274133.tif 000002
【特許請求の範囲】
【請求項１】
画像表示手段（２２）用の表示窓（２５）を有し且つ遊技盤（５）に形成された装着孔（２０）に着脱自在に装着される画像演出枠（１３）を備え、該画像演出枠（１３）には、遊技球が入球可能な入球口（３９）と、前記表示窓（２５）の下側に左右方向に配置され且つ前記入球口（３９）に入球した遊技球を転動させて前側に落下させるステージ（３８）と、前記表示窓（２５）の前側に配置され且つ所定の駆動手段（２９）の駆動により左右方向に移動可能な可動演出手段（３０）と、該可動演出手段（３０）の前側を覆う透明カバー（３４）とを備えた弾球遊技機において、前記透明カバー（３４）は、前記可動演出手段（３０）の前側に対応する部分の下部側が、その上部側よりも後方で且つ前記ステージ（３８）の後側に配置されていることを特徴とする弾球遊技機。
【請求項２】
前記透明カバー（３４）は、前記可動演出手段（３０）の前側に対応する部分の下部側が遊技盤（５）の背面側よりも後側に配置されていることを特徴とする請求項１に記載の弾球遊技機。
【請求項３】
前記透明カバー（３４）は、前記可動演出手段（３０）の前側に対応する部分の上部側が遊技盤（５）の前面側よりも前側に配置されていることを特徴とする請求項１又は２に記載の弾球遊技機。
【請求項４】
前記透明カバー（３４）は、前記可動演出手段（３０）の前側に対応する部分が後下がりの傾斜状に配置されていることを特徴とする請求項１〜３の何れかに記載の弾球遊技機。
【請求項５】
前記透明カバー（３４）は、その下部側が前記ステージ（３８）の後側を覆うように配置されていることを特徴とする請求項１〜４の何れかに記載の弾球遊技機。
【請求項６】
前記ステージ（３８）は、遊技球二個分以上の前後幅を有する球転動部（４２）を備え、前記透明カバー（３４）に、前記球転動部（４２）の後部側が嵌合する凹入部（５５）を設けたことを特徴とする請求項１〜５の何れかに記載の弾球遊技機。
【請求項７】
前記画像演出枠（１３）は、前記遊技盤（５）に対して前側から装着される前構造体（２１）と、前記遊技盤（５）の裏側に装着される後構造体（２３）とを備え、前記可動演出手段（３０）は前記後構造体（２３）側に、前記ステージ（３８）及び前記透明カバー（３４）は前記前構造体（２１）側に夫々設けられていることを特徴とする請求項１〜６の何れかに記載の弾球遊技機。
【請求項８】
前記前構造体（２１）は、前記装着孔（２０）に沿って前記表示窓（２５）を取り囲むように配置される装飾枠（３３）を備え、前記透明カバー（３４）は、その上部側が前記装飾枠（３３）の内側に嵌合し、下部側の外縁部が前記装飾枠（３３）の裏側を覆うように前記装飾枠（３３）に対して後側から装着されていることを特徴とする請求項７に記載の弾球遊技機。
【発明の詳細な説明】
【技術分野】
【０００１】
本発明は、パチンコ機等の弾球遊技機に係り、詳しくは、画像表示手段用の表示窓を有し且つ遊技盤に形成された装着孔に着脱自在に装着される画像演出枠を備えた弾球遊技機に関するものである。
【背景技術】
【０００２】
パチンコ機に代表される弾球遊技機では、遊技領域の略中央に、画像表示手段用の表示窓を有する画像演出枠を装着したものが多い。また最近では、液晶表示手段に表示するバーチャルな画像による演出のみではインパクトに欠けることから、これに機械的な動作を組み合わせて演出効果をより高めるべく、画像演出枠に、例えば画像表示手段の左右両側に待避する待避位置と画像表示手段の前側を略覆う被覆位置との間で左右方向に移動する可動演出手段を設けたものも存在する。
【０００３】
この種の弾球遊技機では、遊技球が可動演出手段に衝突すると、その衝撃による可動演出手段の動作不良や球詰まり等、種々の不具合の発生が懸念される。そこで、例えば特許文献１に記載の発明では、可動演出手段の前側を透明カバーで覆うことにより、可動演出手段の視認性を維持しつつそれら不具合の発生を防止している。
【先行技術文献】
【特許文献】
【０００４】
【特許文献１】特開２００４−１９５０８４号公報
【発明の概要】
【発明が解決しようとする課題】
【０００５】
特許文献１に記載の発明では、画像表示枠の下部側に、入球口に入球した遊技球を自由に転動させて前側に落下させるステージが設けられているが、このステージも可動演出手段と共に透明カバーにより前側から覆われているため、例えばステージ上の遊技球が何らかの原因により大きく跳ね上がって可動演出手段に衝突したり、可動演出手段の軌道上に停滞してその移動動作を阻害する等の問題が発生する可能性があった。
【０００６】
本発明は、上記事情に鑑みてなされたものであり、その目的とするところは、可動演出手段の可動領域と遊技球の可動領域とを完全に区分して可動演出手段への遊技球の衝突等による不具合を完全に防止できる弾球遊技機を提供することにある。
【課題を解決するための手段】
【０００７】
本発明は、画像表示手段２２用の表示窓２５を有し且つ遊技盤５に形成された装着孔２０に着脱自在に装着される画像演出枠１３を備え、該画像演出枠１３には、遊技球が入球可能な入球口３９と、前記表示窓２５の下側に左右方向に配置され且つ前記入球口３９に入球した遊技球を転動させて前側に落下させるステージ３８と、前記表示窓２５の前側に配置され且つ所定の駆動手段２９の駆動により左右方向に移動可能な可動演出手段３０と、該可動演出手段３０の前側を覆う透明カバー３４とを備えた弾球遊技機において、前記透明カバー３４は、前記可動演出手段３０の前側に対応する部分の下部側が、その上部側よりも後方で且つ前記ステージ３８の後側に配置されているものである。
【発明の効果】
【０００８】
本発明によれば、可動演出手段３０の可動領域と遊技球の可動領域とを透明カバー３４により完全に区分することができ、ステージ３８上を含めて遊技領域内の全ての遊技球の可動演出手段３０への衝突等による不具合を完全に防止することができると共に、可動演出手段３０とステージ３８との各配置領域を共に前後方向に十分広く確保することが可能となる。
【図面の簡単な説明】
【０００９】
【図１】本発明の第１の実施形態を示すパチンコ機の全体斜視図である。
【図２】遊技盤の正面図である。
【図３】画像演出枠を構成する前構造体の正面図である。
【図４】画像演出枠を構成する後構造体の正面図である。
【図５】遊技盤の要部側面断面図である。
【図６】画像演出枠の分解側面断面図である。
【図７】図３におけるＡ−Ａ断面図である。
【図８】図３におけるＢ−Ｂ断面図である。
【図９】図３におけるＣ−Ｃ断面図である。
【図１０】図３におけるＤ−Ｄ断面図である。
【図１１】画像演出枠を構成する前構造体の斜視図である。
【図１２】画像演出枠を構成する前構造体の斜視図である。
【図１３】画像演出枠を構成する前構造体の分解斜視図である。
【図１４】本発明の第２の実施形態を示すパチンコ機の遊技盤の要部側面断面図である。
【図１５】画像演出枠を構成する前構造体の斜視図である。
【発明を実施するための形態】
【００１０】
以下、本発明の実施形態を図面に基づいて詳述する。図１〜図１３は本発明をパチンコ機に採用した第１の実施形態を例示している。図１において、遊技機本体１は、矩形状の外枠２と、この外枠２の左右一側、例えば左側のヒンジ３を介して縦軸心廻りに開閉及び着脱自在に枢着された内枠４とを備えている。
【００１１】
内枠４には、その上部側に図２に示す遊技盤５等が、下部側に発射手段（図示省略）等が夫々配置されており、その内枠４の前側には、遊技盤５の前側を覆うガラス扉６と、そのガラス扉６の下側で発射手段等の前側を覆う下部開閉扉７とがヒンジ３と同じ側のヒンジ８により開閉及び着脱自在に枢着されている。ガラス扉６には、遊技盤５側の遊技領域５ａに対応するガラス窓９が設けられ、また下部開閉扉７には、発射手段に供給するための遊技球を貯留する貯留皿１０、発射手段を作動させるための発射ハンドル１１等が設けられている。
【００１２】
遊技盤５の前側には、発射手段により発射された遊技球を案内するガイドレール１２が略環状に装着されると共に、そのガイドレール１２内の遊技領域５ａには、その略中央に画像演出枠１３が配置され、更にその画像演出枠１３の左側に通過ゲート１４が、下側に開閉式入賞手段１５及び大入賞手段１６が配置される他、普通入賞手段１７等の各種遊技部品が装着されている。
【００１３】
画像演出枠１３は、図３〜図６に示すように、遊技盤５に形成された装着孔２０に対して前側から着脱自在に装着される前構造体２１と、後側に液晶表示ユニット等の画像表示手段２２が装着され且つ前構造体２１に対応して遊技盤５の裏側に着脱自在に装着される後構造体２３とを備えている。
【００１４】
後構造体２３は、図４〜図６に示すように、前側が開放した略箱形に形成され且つその背壁２４に画像表示手段２２の表示画面２２ａに対応する矩形状の表示窓２５が形成された本体ケース２６と、この本体ケース２６の前縁側から遊技盤５の背面に沿って鍔状に設けられた固定壁２７と、本体ケース２６の前側に配置される演出手段２８とを備え、本体ケース２６の背壁２４の後側に画像表示手段２２を装着した状態で、前構造体２１の後側に対応するように固定壁２７を遊技盤５の背面側に固定することにより遊技盤５に着脱自在に装着されている。
【００１５】
演出手段２８は、例えば戦艦の船首部分をモチーフにした一部可動式の造形物で、表示窓２５の前側に配置され且つ一対の駆動モータ（駆動手段）２９の駆動により図示しない連動機構を介して表示画面２２ａの前側を略覆う被覆位置（図４に一点鎖線で示す）と表示画面２２ａの左右両側の待避位置（図４に実線で示す）との間で左右方向に移動可能な一対の可動演出手段３０と、表示窓２５の上側に配置される固定演出手段３１とを備え、左右の可動演出手段３０が表示画面２２ａの前側の被覆位置にあるとき、それら可動演出手段３０とその上側の固定演出手段３１とで船首部分が形成されるようになっている。
【００１６】
また、演出手段２８は、船首部分を形成するものであるため下部側から上部側にかけて徐々に前側に迫り出しており、その上部側の一部、例えば可動演出手段３０の上部側の一部と固定演出手段３１の上下方向全体が、固定壁２７よりも前側、即ち遊技盤５の装着孔２０内に突出している。なお、演出手段２８には、例えば可動演出手段３０に対応する部分の中央に砲口を表す開口部３２が設けられており、例えば開口部３２に沿って可動演出手段３０内に配置されるＬＥＤ等の発光体を発光させることにより大砲の発射を演出するようになっている。
【００１７】
前構造体２１は、図３，図５〜図１３に示すように、装着孔２０に沿って後構造体２３側の表示窓２５を取り囲むように配置される装飾枠３３と、この装飾枠３３の内側の窓孔３３ａを塞ぐように例えば装飾枠３３に対して後側から装着される透明カバー３４とを備えている。なお、窓孔３３ａは、可動演出手段３０が被覆位置にある時の演出手段２８の外形に沿った形状に形成されており、可動演出手段３０が被覆位置にある時の演出手段２８の略全体が、窓孔３３ａ内の透明カバー３４を通して遊技盤５の前側から視認可能となっている。
【００１８】
装飾枠３３は、装着孔２０の内面に沿って配置された嵌合壁３５と、この嵌合壁３５の前端側から遊技盤５の前面側に沿う鍔状に設けられた前面当接板３６と、この前面当接板３６の上部側から左右両側にかけて前向き突出状に配置された庇部３７と、表示窓２５の下側に沿うように下部側の前面当接板３６の後側に左右方向に配置されたステージ３８とを備え、例えば前面当接板３６を遊技盤５に前側からねじ止めすることにより遊技盤５に対して着脱自在に固定されている。
【００１９】
装飾枠３３の側部、例えば左右両側には、遊技球が入球可能な入球口３９と、この入球口３９に入球した遊技球をステージ３８に案内する案内通路４０とが設けられている。入球口３９は、例えば庇部３７の下端側に対応して設けられ、前面当接板３６の前側に沿って斜め上向きに配置されている。
【００２０】
案内通路４０は、入球口３９の下流側に接続され且つ窓孔３３ａの内側に沿って後ろ向きに配置された横通路部４０ａと、この横通路部４０ａの後端側から略下向きに配置される縦通路部４０ｂと、この縦通路部４０ｂの下端側に設けられ且つ遊技球を左右方向内側に向けて排出する排出口４０ｃとを備え、この排出口４０ｃがステージ３８の左右両端側に連通している。なお、案内通路４０の背壁４１は透明カバー３４により構成されている。
【００２１】
前面当接板３６は、図３に示すように、その下部側が左右両端側よりも中央が若干下がった略Ｖ型に形成されており、その下部当接板３６ａの後側にステージ３８が後ろ向き突出状に配置されている。ステージ３８は、入球口３９に入球した遊技球を自由に転動させて前側に落下させるもので、図１１等に示すように、例えば左右方向中央に配置されるクルーンステージ部（球転動部）４２と、案内通路４０側の排出口４０ｃから排出された遊技球をクルーンステージ部４２に誘導する誘導通路４３が設けられた左右一対の案内ステージ部４４とを備えている。
【００２２】
クルーンステージ部４２は、遊技球を渦巻き状に転動させて中央部に設けられた複数、例えば三つの落下孔４５ａ〜４５ｃの何れかに落下させるもので、左右の誘導通路４３よりも一段低い皿状に形成されている。三つの落下孔４５ａ〜４５ｃは、中央の落下孔４５ａが開閉式入賞手段１５（図２）の上側に対応するように左右方向一列状に配置されており、クルーンステージ部４２はそれに合わせて左右方向に長い平面視略楕円形に形成されている。なお、落下孔４５ａ〜４５ｃの前後に十分な転動領域（前後幅が遊技球二個分以上あることが望ましい）を確保するため、クルーンステージ部４２はその左右両側の案内ステージ部４４の後縁部よりも後側に突出するように設けられている。
【００２３】
また、下部当接板３６ａには、落下孔４５ａ〜４５ｃに対応して横長状の排出孔４６が形成され、またステージ３８の下側には、落下孔４５ａ〜４５ｃと排出孔４６とを連結する案内樋４７が設けられており、落下孔４５ａ〜４５ｃに落下した遊技球は、案内樋４７により前向きに案内され、排出孔４６から前側に排出されるようになっている。なお、案内樋４７内には、図３〜図５に示すように、落下孔４５ａ〜４５ｃに対応して内部を左右方向三つの通路に区分する区分壁４８が設けられ、また中央の落下孔４５ａに対応する左右方向中央の通路内には、図３，図１１等に示すように、遊技球を真っ直ぐ前向きに案内するための左右一対の突条４９が設けられており、中央の落下孔４５ａに落下した遊技球は高い確率で開閉式入賞手段１５に入賞するようになっている。
【００２４】
案内ステージ部４４は、下部当接板３６ａの後側に沿って前後方向略一定幅で且つ左右両端側が中央端側よりも高い傾斜状に形成されており、その上面側に、案内通路４０の排出口４０ｃとクルーンステージ部４２とを連結する例えば溝状の誘導通路４３が左右方向に設けられている。誘導通路４３は、その左右両端側が案内ステージ部４４の後端側で排出口４０ｃと連結され、中央端側が案内ステージ部４４の前縁側でクルーンステージ部４２に連結されており、左右両端側から中央端側にかけて前後方向に緩やかに屈曲している。なお、誘導通路４３の例えば中央端側には、高速で流下する遊技球を屈曲部に沿ってクルーンステージ部４２まで確実に案内すべく、左右両側に沿って案内リブ５０が立設されている。
【００２５】
透明カバー３４は、可動演出手段３０の可動領域と遊技球の可動領域とを区分するように演出手段２８の前側を覆うもので、透明な合成樹脂により装飾枠３３の窓孔３３ａに略対応する形状に形成され、装飾枠３３に対して後側から装着されている。
【００２６】
透明カバー３４は、可動演出手段３０の前側を覆う上下方向略中央の中間カバー部３４ａと、この中間カバー部３４ａの上側に設けられ且つ固定演出手段３１の前側を覆う上カバー部３４ｂと、中間カバー部３４ａの下側に設けられ且つステージ３８の後側を覆う下カバー部３４ｃとを一体に備えている。
【００２７】
中間カバー部３４ａは、図５，図６等に示すように、可動演出手段３０の前縁側の形状及びその移動軌跡に沿うように、その下部側が上部側よりも後方となる後下がりの傾斜状に配置された略平板状に形成されており、例えばその上部側は遊技盤５の前面側よりも前側に、下部側は遊技盤５の背面側よりも後側に配置されている。なお、中間カバー部３４ａは、可動演出手段３０の移動時の干渉を避けるため、図８，図９等に示すように平面断面は左右方向に略直線状とする必要があるが、図５，図６に示す側面断面については必ずしも直線状である必要はなく、可動演出手段３０の前縁形状に合わせて例えば曲線状としてもよい。
【００２８】
また、中間カバー部３４ａの左右両端側には、図８，図９，図１２，図１３に示すように、装飾枠３３の背面側に沿って窓孔３３ａよりも外側に突出する延設部５１が一体に設けられており、この延設部５１の一部が縦通路部４０ｂの背壁４１を構成している。この背壁４１の前面側には、図９，図１３に示すように、縦通路部４０ｂの側壁の内側に係合する複数の係合突起５２と、縦通路部４０ｂの上流側端部近傍に設けられ且つ縦通路部４０ｂ内を通過する遊技球を接触させて減速させるための減速突起５３とが一体に設けられている。
【００２９】
上カバー部３４ｂは、図５〜図７，図１３等に示すように、中間カバー部３４ａの上縁側から上向きに延設され、固定演出手段３１の前面側に沿う緩やかな曲面状に形成されており、その外縁部が窓孔３３ａの内側に後側から嵌合している。なお、中間カバー部３４ａの外縁側には、窓孔３３ａの内縁側よりも前側に突出した部分に後ろ向きの折り返し部５４が一体に設けられ、この折り返し部５４の後縁側が窓孔３３ａの内側に嵌合している。
【００３０】
下カバー部３４ｃは、図５〜図１３に示すように、中間カバー部３４ａの下縁側からステージ３８の案内ステージ部４４及び装飾枠３３の後縁側に沿って例えば嵌合壁３５の外縁側まで延設されており、その左右方向中央部分には、クルーンステージ部４２の後部側が嵌合する後ろ向きの凹入部５５が形成されている。
【００３１】
また、透明カバー３４には、窓孔３３ａの内側に嵌合する上カバー部３４ｂを除く外縁側、即ち装飾枠３３の背面側に沿って窓孔３３ａよりも外側に延設された部分に位置決め孔５６とねじ止め孔５７とが夫々複数設けられており、透明カバー３４は、位置決め孔５６に装飾枠３３の背面側の位置決め突起５８を前側から嵌合させた状態で、固定ねじ５９をねじ止め孔５７を介して装飾枠３３の背面側に設けられた固定基部６０にねじ込むことにより装飾枠３３の裏側に着脱自在に固定されている。
【００３２】
以上説明したように、本実施形態のパチンコ機では、画像演出枠１３の透明カバー３４が、前記可動演出手段３０の前側に対応する中間カバー部３４ａの下部側がその上部側よりも後方で且つ前記ステージ３８の後側に配置されているため、可動演出手段３０の可動領域と遊技球の可動領域とを透明カバー３４により完全に区分することができ、ステージ３８上を含めて遊技領域５ａ内の全ての遊技球の可動演出手段３０への衝突等による不具合を完全に防止することができると共に可動演出手段３０とステージ３８との各配置領域を共に前後方向に広く確保することが可能となる。
【００３３】
しかも、透明カバー３４は、中間カバー部３４ａの下部側が遊技盤５の背面側よりも後側に配置され、中間カバー部３４ａの上部側が遊技盤５の前面側よりも前側に配置されているため、可動演出手段３０とステージ３８との各配置領域を前後方向に最大限広く確保できる。また、中間カバー部３４ａは後下がりの傾斜状に配置されているため、照明の移り込み等による視認性の低下を防止できる利点もある。
【００３４】
また、画像演出枠１３は、遊技盤５に対して前側から装着される前構造体２１と、遊技盤５の裏側に装着される後構造体２３とを備え、可動演出手段３０は後構造体２３側に、ステージ３８及び透明カバー３４は前構造体２１側に夫々設けられているため、例えば前構造体２１と後構造体２３との何れか一方を遊技盤５から取り外すだけで可動演出手段３０にアクセスすることができ、メンテナンス性がよいという利点もある。
【００３５】
また、前構造体２１は、装着孔２０に沿って表示窓２５を取り囲むように配置される装飾枠３３を備え、透明カバー３４は、その上部側が装飾枠３３の内側に嵌合し、下部側の外縁部が装飾枠３３の裏側を覆うように装飾枠３３に対して後側から装着されているため、装飾枠３３の下部側を後側から覆う部材を別途設ける必要がない。
【００３６】
また、装飾枠３３は、入球口３９に入球した遊技球をステージ３８に案内する案内通路４０を備え、透明カバー３４は案内通路４０の後側を閉鎖する背壁４１を構成しており、しかもその背壁４１に、案内通路４０内を通過する遊技球が接触可能な減速突起５３を一体に設けているため、案内通路４０を単独で完全な通路に形成する場合と比べて部品点数を削減することができ、組み立て工数も削減されてコストダウンが可能である。
【００３７】
ステージ３８は、遊技球を渦巻き状に転動させて中央部に設けられた複数の落下孔４５ａ〜４５ｃの何れかに落下させる皿状のクルーンステージ部４２を備え、透明カバー３４に、クルーンステージ部４２の後部側が嵌合する凹入部５５を設けているため、クルーンステージ部４２のためのスペースを前後方向に広く確保することができる。
【００３８】
図１４及び図１５は本発明の第２の実施形態を例示し、第１の実施形態を一部変更して、透明カバー３４を、可動演出手段３０の前側を覆う中間カバー部３４ａと、この中間カバー部３４ａの下側に設けられ且つステージ３８の後側を覆う下カバー部３４ｃとで構成し、上カバー部３４ｂを省略した例を示している。
【００３９】
本実施形態の場合、窓孔３３ａのうち、固定演出手段３１に対応する上部側については透明カバー３４で覆われない開口部６１となるが、この開口部６１は、窓孔３３ａに沿う上部側が庇部３７で囲まれているため、画像演出枠１３の外側から遊技球が進入することはない。また、透明カバー３４の上縁部６２に沿う下部側についても、透明カバー３４の上縁部６２はステージ３８から十分高い位置にあり、しかも透明カバー３４の中間カバー部３４ａは上縁部６２側が前側に迫り出した後下がりの傾斜状に配置されているため、ステージ３８上の遊技球が何らかの理由で跳ね上がったとしても開口部６１内に進入することはない。
【００４０】
以上、本発明の実施形態について詳述したが、本発明はこれらの実施形態に限定されるものではなく、本発明の趣旨を逸脱しない範囲で種々の変更が可能である。例えば、実施形態では、透明カバー３４における可動演出手段３０の前側に対応する中間カバー部３４ａの略全体を後下がりの傾斜状に形成し、その下側の下カバー部３４ｃでステージ３８の後側を覆うように構成したが、ステージ３８に対する遊技者の視界を遮らない範囲で、中間カバー部３４ａの下部側の一部分のみを後下がりの傾斜状に形成してもよい。
【００４１】
また、実施形態のように画像演出枠１３を前構造体２１と後構造体２３とで構成する場合、透明カバー３４は後構造体２３の前側に装着してもよい。また画像演出枠１３は、その全体を遊技盤５に対して前側から装着するように構成してもよい。
【００４２】
ステージ３８の構成は任意であり、必ずしもクルーンステージ部４２を備えていなくてもよい。また、クルーンステージ部４２以外でも、遊技球二個分以上の前後幅を有する球転動部を設け、その後部側を凹入部５５に前側から嵌合させてもよい。また、クルーンステージ部４２等、遊技球二個分以上の前後幅を有する球転動部を備えていない場合でも、透明カバー３４の下カバー部３４ｃに、ステージ３８の後部側の少なくとも一部が前側から嵌合する凹入部を設けてもよい。
【００４３】
透明カバー３４はその全体が透明である必要はなく、表示窓２５に対応する部分等以外は不透明としてもよい。
【００４４】
なお、実施形態ではパチンコ機について例示したが、アレンジボール機、雀球遊技機等の他の弾球遊技機でも同様に実施可能であることはいうまでもない。
【符号の説明】
【００４５】
５  遊技盤
１３  画像演出枠
２０  装着孔
２１  前構造体
２２  画像表示手段
２３  後構造体
２５  表示窓
２９  駆動手段
３０  可動演出手段
３３  装飾枠
３４  透明カバー
３８  ステージ
３９  入球口
４２  クルーンステージ部（球転動部）
５５  凹入部
【図１】
2010274133.tif 000003
【図２】
2010274133.tif 000004
【図３】
2010274133.tif 000005
【図４】
2010274133.tif 000006
【図５】
2010274133.tif 000007
【図６】
2010274133.tif 000008
【図７】
2010274133.tif 000009
【図８】
2010274133.tif 000010
【図９】
2010274133.tif 000011
【図１０】
2010274133.tif 000012
【図１１】
2010274133.tif 000013
【図１２】
2010274133.tif 000014
【図１３】
2010274133.tif 000015
【図１４】
2010274133.tif 000016
【図１５】
2010274133.tif 000017
【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
画像表示手段（２２）用の表示窓（２５）を有し且つ遊技盤（５）に形成された装着孔（２０）に着脱自在に装着される画像演出枠（１３）を備え、該画像演出枠（１３）には、遊技球が入球可能な入球口（３９）と、前記表示窓（２５）の下側に配置され且つ前記入球口（３９）に入球した遊技球を転動させて前側に落下させるステージ（３８）と、前記表示窓（２５）の前側に配置され且つ所定の駆動手段（２９）の駆動により所定の待避位置から前記画像表示手段（２２）の前側の被覆位置へ移動可能な可動演出手段（３０）と、該可動演出手段（３０）の可動領域と遊技球の可動領域とを区分する透明カバー（３４）とを備えた弾球遊技機において、前記画像演出枠（１３）は、前記遊技盤（５）に対して前側から装着され且つ装飾枠（３３）を備える前構造体（２１）と、前記遊技盤（５）の裏側に装着される後構造体（２３）とを備え、前記ステージ（３８）及び前記透明カバー（３４）は前記前構造体（２１）側に設けられており、前記透明カバー（３４）は、その上部側が、前記装飾枠（３３）の内側に位置するように前記装飾枠（３３）に対して後側から装着されると共に前記遊技盤（５）の前面側よりも前側に配置され、その下部側が前記ステージ（３８）の後側に配置されていることを特徴とする弾球遊技機。
【請求項２】
前記可動演出手段（３０）は前記後構造体（２３）側に設けられていることを特徴とする請求項１に記載の弾球遊技機。
【請求項３】
前記透明カバー（３４）は、その下部側の外縁部が前記装飾枠（３３）の裏側を覆うように前記装飾枠（３３）に対して後側から装着されていることを特徴とする請求項１又は２に記載の弾球遊技機。
【手続補正２】
【補正対象書類名】明細書
【補正対象項目名】０００７
【補正方法】変更
【補正の内容】
【０００７】
本発明は、画像表示手段２２用の表示窓２５を有し且つ遊技盤５に形成された装着孔２０に着脱自在に装着される画像演出枠１３を備え、該画像演出枠１３には、遊技球が入球可能な入球口３９と、前記表示窓２５の下側に配置され且つ前記入球口３９に入球した遊技球を転動させて前側に落下させるステージ３８と、前記表示窓２５の前側に配置され且つ所定の駆動手段２９の駆動により所定の待避位置から前記画像表示手段２２の前側の被覆位置へ移動可能な可動演出手段３０と、該可動演出手段３０の可動領域と遊技球の可動領域とを区分する透明カバー３４とを備えた弾球遊技機において、前記画像演出枠１３は、前記遊技盤５に対して前側から装着され且つ装飾枠３３を備える前構造体２１と、前記遊技盤５の裏側に装着される後構造体２３とを備え、前記ステージ３８及び前記透明カバー３４は前記前構造体２１側に設けられており、前記透明カバー３４は、その上部側が、前記装飾枠３３の内側に位置するように前記装飾枠３３に対して後側から装着されると共に前記遊技盤５の前面側よりも前側に配置され、その下部側が前記ステージ３８の後側に配置されているものである。